【手続補正書】
【提出日】平成17年3月18日(2005.3.18)
【手続補正１】
【補正対象書類名】明細書
【補正対象項目名】全文
【補正方法】変更
【補正の内容】
【書類名】      明細書
【発明の名称】  デジタル・セルラー通信ネットワークにおける位置依存ＷＷＷサービス
【特許請求の範囲】
【請求項１】  ＷＷＷサービスを支援するデジタル・セルラー通信ネットワーク（ＧＳＭ）用の移動局（ＭＳ）であって、
ａ）少なくとも一つの基地局サブシステム（ＢＳＳ  １；．．．；ＢＳＳ  ５）から送信されたブロードキャスト情報のための受信器（４）と、
ｂ）前記受信されたブロードキャスト情報から位置特有データを選択するようになっている位置データ・フィルタ（６）と、
ｃ）前記移動局（ＭＳ）に接続された移動装置（ＭＤ）との接続を確立し、該移動装置（ＭＤ）から前記位置特有データを求める要求を受信し、前記移動装置（ＭＤ）に前記位置特有データを転送するようになっている移動装置インターフェース（８）と、
を具備する、移動局。
【請求項２】  前記位置データ・フィルタ（６）が、前記基地局サブシステム（ＢＳＳ  １；．．．；ＢＳＳ  ５）についてのセル識別子（Ｃｅｌｌ  Ｉｄｉ）を位置特有データとして識別するようになっている、請求項１記載の移動局。
【請求項３】  前記位置データ・フィルタ（６）が、前記基地局サブシステム（ＢＳＳ  １；．．．；ＢＳＳ  ５）についての基地局識別符号（ＢＳＩＣ  ｉ）を位置特有データとして識別するようになっている、請求項１記載の移動局。
【請求項４】  前記位置データ・フィルタ（６）が、前記基地局サブシステム（ＢＳＳ  １；．．．；ＢＳＳ  ５）についての経度（ｌｏｉ）および緯度（ｌａｉ）を位置特有データとして識別するようになっている、請求項１記載の移動局。
【請求項５】  前記移動局（ＭＳ）が、前記基地局サブシステム（ＢＳＳ  １；．．．；ＢＳＳ  ５）の前記経度（ｌｏｉ）および前記緯度（ｌａｉ）を受信して前記移動局（ＭＳ）についての推定経度（ｌｏｅ）および推定緯度（ｌａｅ）を求める計算ユニット（１０）をさらに具備する、請求項４記載の移動局。
【請求項６】  前記計算ユニット（１０）が、経度（ｌｏｉ）および緯度（ｌａｉ）について一つ以上の値が受信される場合、前記推定経度（ｌｏｅ）および前記推定緯度（ｌａｅ）を線形平均値としてそれぞれ計算する、請求項５記載の移動局。
【請求項７】  グローバル・データ・ベアラ・サービス・システムであって、
ａ）デジタル・セルラー通信ネットワーク（ＧＳＭ）であって、
ａ１）ブロードキャスト情報を前記デジタル・セルラー通信ネットワークの少なくとも一つの基地局サブシステム（ＢＳＳ  １；．．．；ＢＳＳ  ５）に転送するようになっている少なくとも一つの交換サブシステム（ＭＳＣ，ＨＬＲ，ＶＬＲ）と、
ａ２）前記デジタル・セルラー通信ネットワーク（ＧＳＭ）を移動し、前記基地局サブシステム（ＢＳＳ  １；．．．；ＢＳＳ  ５）からブロードキャスト情報を受信する移動局（ＭＳ）と、
ａ３）該移動局（ＭＳ）に移動装置インターフェース（８）を介して接続された移動装置（ＭＤ）と、
を有するデジタル・セルラー通信ネットワーク（ＧＳＭ）と、
ｂ）サーバを前記移動装置（ＭＤ）に少なくとも一つのグローバル・データ・ベアラ・サービス（ＧＰＲＳ）支援ノード（ＳＧＳＮ，ＧＧＳＮ）を介して接続するパケット・データ・ネットワーク（ＩＰ，Ｘ．２５）と、
を具備し、
ｃ）前記移動局（ＭＳ）が、前記移動装置（ＭＤ）の要求時に前記ブロードキャスト情報から抽出された位置特有データを前記移動装置（ＭＤ）に転送するようになっている位置データ・フィルタ（６）を含み、
ｄ）前記移動装置（ＭＤ）が、前記位置特有データに基づいて前記サーバから位置依存サービスを要求するようになっており、
ｅ）前記サーバが、前記受信された要求に応じて位置依存サイトを発生するサイト発生器（１４）を含む、
グローバル・データ・ベアラ・サービス・システム。
【請求項８】  前記サーバが、要請時に要求されたサイトを発生するのに使用されるサイト要素を記憶する記憶ユニット（１０）をさらに含む、請求項７記載のグローバル・データ・ベアラ・サービス・システム。
【請求項９】  前記サーバが、複数の同時要請を並列に管理するセッション・ハンドラ（２０）をさらに含む、請求項７記載のグローバル・データ・ベアラ・サービス・システム。
【請求項１０】  前記サーバが、複数の同時要請を並列に管理するセッション・ハンドラ（２０）をさらに含む、請求項８記載のグローバル・データ・ベアラ・サービス・システム。
【請求項１１】  前記位置データ・フィルタ（６）が、前記基地局サブシステム（ＢＳＳ  １；．．．；ＢＳＳ  ５）のセル識別子（Ｃｅｌｌ  Ｉｄｉ）を前記移動装置（ＭＤ）に位置特有データとして転送するようになっている、請求項７記載のグローバル・データ・ベアラ・サービス・システム。
【請求項１２】  前記サーバが、要請時に要求されたサイトを発生するのに使用されるサイト要素を記憶する記憶ユニット（１０）をさらに含む、請求項１１記載のグローバル・データ・ベアラ・サービス・システム。
【請求項１３】  前記サーバが、複数の同時要請を並列に管理するセッション・ハンドラ（２０）をさらに含む、請求項１１記載のグローバル・データ・ベアラ・サービス・システム。
【請求項１４】  前記サーバが、要請時に要求されたサイトを発生するのに使用されるサイト要素を記憶する記憶ユニット（１０）をさらに含む、請求項１３記載のグローバル・データ・ベアラ・サービス・システム。
【請求項１５】  前記位置データ・フィルタ（６）が、前記基地局サブシステム（ＢＳＳ  １；．．．；ＢＳＳ  ５）の基地局識別符号（ＢＳＩＣ  ｉ）を前記移動装置（ＭＤ）に位置特有データとして転送するようになっている、請求項７記載のグローバル・データ・ベアラ・サービス・システム。
【請求項１６】  前記サーバが、要請時に要求されたサイトを発生するのに使用されるサイト要素を記憶する記憶ユニット（１０）をさらに含む、請求項１５記載のグローバル・データ・ベアラ・サービス・システム。
【請求項１７】  前記サーバが、複数の同時要請を並列に管理するセッション・ハンドラ（２０）をさらに含む、請求項１５記載のグローバル・データ・ベアラ・サービス・システム。
【請求項１８】  前記サーバが、要請時に要求されたサイトを発生するのに使用されるサイト要素を記憶する記憶ユニット（１０）をさらに含む、請求項１７記載のグローバル・データ・ベアラ・サービス・システム。
【請求項１９】  前記サーバが、前記移動局（ＭＳ）および移動装置（ＭＤ）の幾何学的位置を推定するように、転送されたセル識別子（Ｃｅｌｌ  Ｉｄｉ）を前記各基地局サブシステム（ＢＳＳ  １；．．．；ＢＳＳ  ５）の幾何学的位置にマップするマッピング・テーブル（１８）をさらに含む、請求項１１記載のグローバル・データ・ベアラ・サービス・システム。
【請求項２０】  前記サーバが、前記移動局（ＭＳ）および移動装置（ＭＤ）の前記幾何学的位置を推定するように、転送された基地局識別符号（ＢＳＩＣ  ｉ）を前記各基地局サブシステム（ＢＳＳ  １；．．．；ＢＳＳ  ５）の幾何学的位置にマップするマッピング・テーブル（１８）をさらに含む、請求項１５記載のグローバル・データ・ベアラ・サービス・システム。
【請求項２１】  前記位置データ・フィルタ（６）が、前記基地局サブシステム（ＢＳＳ  １；．．．；ＢＳＳ  ５）についての経度（ｌｏｉ）および緯度（ｌａｉ）を前記位置特有データから識別するようになっている、請求項７記載のグローバル・データ・ベアラ・サービス・システム。
【請求項２２】  前記移動局（ＭＳ）が、前記基地局サブシステム（ＢＳＳ  １；．．．；ＢＳＳ  ５）の前記経度（ｌｏｉ）および前記緯度（ｌａｉ）を受信して前記移動局（ＭＳ）についての推定経度（ｌｏｅ）および推定緯度（ｌａｅ）を求める計算ユニット（１０）をさらに含む、請求項２１記載のグローバル・データ・ベアラ・サービス・システム。
【請求項２３】  複数の経度（ｌｏｉ）および緯度（ｌａｉ）が受信される場合、前記計算ユニット（１０）が、推定経度（ｌｏｅ）および推定緯度（ｌａｅ）をすべての受信された経度（ｌｏｉ）および緯度（ｌａｉ）の線形平均値としてそれぞれ計算する、請求項２２記載のグローバル・データ・ベアラ・サービス・システム。
【請求項２４】  前記移動局（ＭＳ）が、前記位置依存サービスを求めた前記要求中に推定経度（ｌｏｅ）および推定緯度（ｌａｅ）を含めるようになっている、請求項２３記載のグローバル・データ・ベアラ・サービス・システム。
【請求項２５】  前記サーバの前記サイト発生器（１４）が、前記推定経度（ｌｏｅ）および前記推定緯度（ｌａｅ）に基づいて前記記憶ユニット（１６）からサイトを選択する、請求項２４記載のグローバル・データ・ベアラ・サービス・システム。
【請求項２６】  前記サーバがＷＷＷサーバである、請求項７記載のグローバル・データ・ベアラ・サービス・システム。
【請求項２７】  前記位置依存サービスがインターネット・サービスである、請求項７記載のグローバル・データ・ベアラ・サービス・システム。
【請求項２８】  パケット交換型データ・ベアラ・サービスを使用する、請求項７記載のグローバル・データ・ベアラ・サービス・システム。
【請求項２９】  回路交換型データ・ベアラ・サービスを使用する、請求項７記載のグローバル・データ・ベアラ・サービス・システム。
【請求項３０】  グローバル・パケット・サービス・システムで位置特有サービスを提供する方法であって、
ａ）通信チャネルを確立するステップであって、前記通信チャネルが、
ａ１）デジタル・セルラー通信ネットワーク（ＧＳＭ）を移動する移動局（ＭＳ）にインターフェースされる移動装置（ＭＤ）と
ａ２）パケット・データ・ネットワーク（ＬＡＮ）に設置されたサーバとの間に確立される、ステップと、
ｂ）前記移動局（ＭＳ）によって受信されたブロードキャスト情報から抽出された位置特有データ（Ｃｅｌｌ  Ｉｄｉ，ｌａｅ，ｌｏｅ）を前記移動装置（ＭＤ）の要求時に該移動装置（ＭＤ）に転送するステップと、
ｃ）位置依存サービスを求めた要求を前記移動装置（ＭＤ）から前記サーバに前記位置特有データに基づいて転送するステップと、
ｄ）位置依存サイトを前記サーバから前記移動装置（ＭＤ）に転送するステップと、
を含む、方法。
【請求項３１】  少なくとも一つの基地局サブシステム（ＢＳＳ  １；．．．；ＢＳＳ  ５）のセル識別子（Ｃｅｌｌ  Ｉｄｉ）が、前記移動装置（ＭＤ）に位置依存データとして転送される、請求項３０記載の方法。
【請求項３２】  前記受信された少なくとも一つのセル識別子（Ｃｅｌｌ  Ｉｄｉ）が、前記位置依存サービスを求めた前記要求中に含められる、請求項３１記載の方法。
【請求項３３】  前記サーバで、前記セル識別子（Ｃｅｌｌ  Ｉｄｉ）が、前記位置依存サービス用の基礎として前記移動装置（ＭＤ）の幾何学的位置を推定するように、前記各基地局サブシステム（ＢＳＳ  １；．．．；ＢＳＳ  ５）の幾何学的位置にマッピング・テーブル（１８）を用いて変換される、請求項３２記載の方法。
【請求項３４】  少なくとも一つの基地局サブシステム（ＢＳＳ  １；．．．；ＢＳＳ  ５）の前記基地局識別符号（ＢＳＩＣ  ｉ）が、前記移動装置（ＭＤ）に位置特有データとして転送される、請求項３０記載の方法。
【請求項３５】  前記受信された少なくとも一つの基地局識別符号（ＢＳＣＩ  ｉ）が、前記位置依存サービスを求めた前記要求中に含められる、請求項３４記載の方法。
【請求項３６】  前記サーバで、前記基地局識別符号（ＢＳＣＩ  ｉ）が、前記位置依存サービス用の基礎として前記移動装置（ＭＤ）の前記幾何学的位置を推定するように、前記各基地局サブシステム（ＢＳＳ  １；．．．；ＢＳＳ  ５）の幾何学的位置にマッピング・テーブル（１８）を用いて変換される、請求項３５記載の方法。
【請求項３７】  前記基地局サブシステム（ＢＳＳ  １；．．．；ＢＳＳ  ５）の経度（ｌｏｉ）および緯度（ｌａｉ）に基づいて、前記移動局（ＭＳ）についての推定経度（ｌｏｅ）および推定緯度（ｌａｅ）が求められる、請求項３０記載の方法。
【請求項３８】  経度（ｌｏｉ）および緯度（ｌａｉ）について一つ以上の値が広く得られる場合、前記推定経度（ｌｏｅ）および前記推定緯度（ｌａｅ）がすべての経度（ｌｏｉ）および緯度（ｌａｉ）の線形平均値としてそれぞれ計算される、請求項３７記載の方法。
【請求項３９】  前記推定経度（ｌｏｅ）および前記推定緯度（ｌａｅ）が、前記位置依存サービスを求めた前記要求中に含められる、請求項３８記載の方法。
【請求項４０】  サイトが、前記要求中に含められた前記推定経度（ｌｏｅ）および前記推定緯度（ｌａｅ）に基づいて前記サーバの記憶ユニット（１６）から選択される、請求項３９記載の方法。
【発明の詳細な説明】
【０００１】
（発明の分野）
本発明は、デジタル・セルラー通信ネットワークを通して提供され得る位置（ロケーション）依存ワールド・ワイド・ウエブ・サービスに関する。
【０００２】
（発明の背景）
デジタル・セルラー通信ネットワーク、例えば、欧州電気通信規格協会ＥＴＳＩによってその技術仕様が作り上げられている全欧州移動通信ネットワークＧＳＭでは、そのユーザは、加入者によって選ばれたネットワーク運営者により運営されるホーム・パブリック・ランド移動ネットワークＨＰＬＭＮの無線サービス区域内ばかりでなく、ホーム・パブリック・ランド移動ネットワークＨＰＬＭＮ内でサービスを提供するネットワーク運営者のパートナー、すなわち、ＨＰＬＭＮネットワーク運営者とローミング契約をしているネットワーク運営者の無線サービス区域内で、任意の地理的エリアで呼を発信したり受信することができる。
【０００３】
そのようなデジタル・セルラー通信ネットワークのアーキテクチャでの基本的なサブシステムとして、基地局サブシステムＢＳＳと、ネットワークおよび交換サブシステムＮＳＳと、オペレーショナル・サブシステムＯＳＳとがある。基地局サブシステムＢＳＳは、移動局ＭＳとネットワークおよび交換サブシステムＮＳＳとの間の伝送路を提供し管理する。ネットワークおよび交換サブシステムＮＳＳは、移動局ＭＳへの通信および接続を管理する。
【０００４】
図８は、ネットワークおよび交換サブシステムＮＳＳと基地局サブシステムＢＳＳと移動局ＭＳとにそれぞれ関連したデジタル・セルラー通信ネットワークの構成要素を示している。
【０００５】
異なるサービス・エリア間のリンクを達成するために、移動局ＭＳの特定の位置の決定，移動局ＭＳに向かう呼の経路設定および他のネットワークへの接続を行うように働くゲートウエイ移動サービス交換局ＧＭＳＣが設けられている。このゲートウエイ移動サービス交換局ＧＭＳＣは、ホーム・ロケーション・レジスタＨＬＲと呼ばれる機能ユニットに接続されており、このホーム・ロケーション・レジスタＨＬＲには、着信呼を移動局ＭＳに経路設定するのを許すために、加入者情報および移動情報が記憶されている。
【０００６】
移動局ＭＳへの呼の経路設定を行うために、ゲートウエイ移動サービス交換局ＧＭＳＣは移動サービス交換局ＭＳＣにも接続されており、移動局ＭＳはこの移動サービス交換局ＭＳＣを介してサービスを得ることができる。移動サービス交換局ＭＳＣは、この移動サービス交換局ＭＳＣによってカバーされる移動局ＭＳのために求められる必要な交換機能を実行する。また、移動サービス交換局ＭＳＣは、その移動局ＭＳの移動を監視するとともに、位置登録資源の取扱いおよび更新に必要な資源を管理する。
【０００７】
図８に示されているように、パブリック・ランド移動ネットワークＰＬＭＮは、複数の移動サービス交換局ＭＳＣと、移動局ＭＳが移動できる所定数の基本セルをそれぞれカバーする個々のサービス・エリアとを含む。この目的のために、各移動サービス交換局ＭＳＣはビジター・ロケーション・レジスタＶＬＲに接続されている。ビジター・ロケーション・レジスタＶＬＲは、移動局がビジター・ロケーション・レジスタＶＬＲによってカバーされるサービス・エリアに位置している場合にロケーション・エリアのような移動局情報を動的に記憶する機能ユニットである。移動中の移動局ＭＳが特定の移動サービス交換局ＭＳＣに割り当てられたサービス・エリアに入ると、この移動サービス交換局ＭＳＣは関連のビジター・ロケーション・レジスタＶＬＲに知らせる。
【０００８】
さらに、基地局サブシステムＢＳＳは、ほぼ六角形の地理的領域である上記セルに無線サービス区域を提供する物理機器に対応する。各基地局サブシステムＢＳＳは、移動局ＭＳと通信を行うのに必要な機器を含んでいる。
【０００９】
図９に示されているように、デジタル・セルラー通信ネットワークには、トラヒック・チャネルＴＣＨ，制御チャネルＣＣＨおよびセル・ブロードキャスト・チャネルＣＢＣＨの三種類の論理チャネルがある。トラヒック・チャネルＴＣＨは、音声またはデータのようなユーザ情報を伝送するのに用いられる。制御チャネルＣＣＨは、制御およびシグナリング情報を伝送するのに用いられる。最後に、セル・ブロードキャスト・チャネルＣＢＣＨは、所与の基本セル／基本サービス・エリアで傾聴する移動局ＭＳに移動サービス交換局ＭＳＣからユーザ情報をブロードキャストするのに用いられる。
【００１０】
特に、各制御チャネルＣＣＨは、ブロードキャスト・チャネルＢＣＨばかりでなく、例えば、サービス要求または加入者認証のために用いられる専用制御チャネルＤＣＣＨと、ページングおよびアクセスのために用いられる共通制御チャネルＣＣＣＨとを含んでいる。ブロードキャスト・チャネルＢＣＨは、周波数訂正データを伝送するのに用いられる周波数制御チャネルＦＣＣＨと、信号強度を測定するとき必要なＴＤＭＡフレーム番号および基地局識別符号ＢＳＩＣを含む同期制御チャネルＳＣＨと、最後に、ブロードキャスト制御チャネルＢＣＣＨとに細分割される。
【００１１】
デジタル・セルラー通信ネットワーク用のこのアーキテクチャを用いると、加入者に対して異なる通信能力が提供され得る。ＧＳＭデジタル・セルラー通信ネットワークにおいて提供される基本的な通信サービスは、ベアラ・サービス，テレサービスおよび補足サービスの三つの主要グループに分けられる。
【００１２】
移動通信用に設計されたデジタル・セルラー通信ネットワークとは反対に、ワールド・ワイド・ウエブＷＷＷは、初期には、文書（ドキュメント）配布用の機構として設計され、現在は、多様な対話形アプリケーション用の標準的インフラストラクチュアに急速になりつつある。ハイパーテキスト・メタファおよびブラウザ技術の遍在は、ＷＷＷアプリケーションを種々の業務用途に対して魅力的にする。
【００１３】
ＷＷＷは、ウエブ・サイトまたは同意義でウエブ・ページと呼ばれる文書が例えば図形，アニメーションまたは音楽のような複数の異なる情報を含んでいるハイパーテキスト・モデルに基づいている。ＷＷＷの下にあるプロトコルはハイパーテキスト転送プロトコルである。このプロトコルは、例えば、ＷＷＷサーバがＷＷＷアプリケーションまたはＷＷＷクライエントによってネットワークを横切って送られる要求に応答する対話形ＷＷＷアプリケーションを支援するように設計されている。
【００１４】
位置依存ＷＷＷサービス内では、ＷＷＷアプリケーションを稼働させているユーザの地理的位置は、要求された位置依存情報がＷＷＷサーバによって送出される得る前に、ラップトップのような移動装置から関連のＷＷＷサーバに伝えられる。
【００１５】
多くの場合、ユーザは、例えば、移動計算(mobile computing)装置をＩＳＤＮソケットに接続することによって、その地理的位置を手動で提供しなければならない。勿論、このことは、特に、ユーザが位置の更新を忘れたり、位置特定の仕方を知らないときには、非常に扱いにくいことである。
【００１６】
それ故、地理的位置情報を移動装置上で稼働するアプリケーションに利用できるようにするために、衛星に基づくＧＰＳシステムが提案されている。そこでは、移動装置へのリンクは、ポータブル・コンピュータ用のハードウエア／ソフトウエア・インターフェース定義とともに作動する所謂ＰＣＭＣＩＡインターフェース（パーソナル・コンピュータ・メモリ・カード・インターナショナル・アソシエーション）を介して設定される。しかしながら、このアプローチでは、大部分のネットワークでは余りコスト的に有効でない位置特有情報が提供されないという問題を解消するために、付加的なＧＰＳ受信器が必要とされる。
【００１７】
移動局の正確な幾何学的位置計測のための別の方法が、ＥＰ−Ａ−０３２０９１３に提案されている。既知の位置にある少なくとも三つの固定局から移動局が信号を受信し、これらの信号に基づいて移動局の位置が計算される。すべての基地局サブシステムが正確に同じクロック時間にあることが重要である。移動局情報は、基地局サブシステムからのタイミング基準信号の受信における伝播遅れを示すようにコンパイルされなければならず、また、その後、基地局サブシステムに送信されなければならない。全体として、この方法は、複雑であり、付加的なハードウエアおよび通信オーバーヘッドを必要とする。
【００１８】
それ故、現在のところ、デジタル・セルラー通信ネットワークにおいて移動局の地理的位置の決定を低オーバーヘッドでかつ簡単な履行で行うことは可能ではない。
【００１９】
また、デジタル・セルラー通信ネットワークにおいて位置依存情報、例えば、天気予報や道路交通情報などを提供するサービスは存在しない。
ＷＯ９７０７４６７には、ローカル資源を識別するためのコンピュータ・システムが記載されている。そこでは、クライエント・コンピュータのエリアのマップがマップ・サーバから要求され、興味の場所に関する情報がクライエント・コンピュータによって情報サーバから要求される。
【００２０】
（発明の要約）
上記に鑑み、本発明の一つの目的は、デジタル・セルラー通信ネットワークにおける位置依存サービスを機器および通信において低オーバーヘッドで提供することにある。
【００２１】
本発明の他の目的は、デジタル・セルラー通信システムにおいてインターネット・アクセスの効率的な統合を通して位置依存サービスをできるようにすることにある。
【００２２】
本発明の一態様によれば、移動局は、例えばこの移動局に近接して存在する複数の基地局サブシステムから送信されるブロードキャスト情報用の受信器を備えている。位置データ・フィルタは、複数の基地局サブシステムを介して受信される受信ブロードキャスト情報から位置特有データを選択する。さらに、移動局は、移動局とともに移動する移動装置との接続を確立して、移動装置から位置特有データを求める要求を受信し、移動装置に位置特有データを転送する。
【００２３】
本発明の移動局の一つの利点は、取り付けられた移動装置にセル識別の利用が可能とされ、それにより、デジタル・セルラー通信ネットワーク内で、少数の基地局サブステーションのエリア内での移動局の現在位置が、移動装置上で稼働する関連のアプリケーション・ソフトウエアに容易に提供できるようになることである。
【００２４】
本発明によれば、移動局の地理的位置は必ずしも正確には決定されないが、数セルの精度以内、例えば、最悪で＋／−３０ｋｍであることに注目することは重要である。このことは、移動局の地理的位置の決定には余分の通信は何ら起こされないので、オーバーヘッドの大きな低減を許す。また、特定のエリアでのセル寸法が小さくなる程、精度は良くなる。
【００２５】
本発明のアプローチで達成できるこのわずかに低減された精度は、実際の位置依存ＷＷＷサービス、例えば、天気予報あるいは道路交通情報または最寄タクシー会社に関する情報には十分であり、そのため、現実的な要件を越えた資源の過剰運用を避けるのを許す。
【００２６】
本発明の他の態様は、ブロードキャスト情報をその中の少なくとも一つの基地局サブシステムに転送するようになっている少なくとも一つのネットワークおよび交換サブシステムを備えたデジタル・セルラー通信ネットワークを第１の構成要素として有するパケット交換または回路交換型データ・ベアラ・サービス・システムの履行のために、インターネット・アクセスをデジタル・セルラー通信ネットワークへ統合することに関する。移動局は、デジタル・セルラー通信ネットワーク内を移動し、少なくとも一つの基地局サブシステムからブロードキャスト情報を受信する。さらに、移動装置が移動装置インターフェースを介して移動局に接続される。第２の構成要素は、ＷＷＷサーバをデジタル・セルラー通信ネットワークに接続するインターネットまたはＸ．２５のパケット・データ・ネットワークに対応する。
【００２７】
本発明の先に述べた態様と同様に、移動局は、ブロードキャスト情報から抽出された位置特有データを移動装置の要求時に移動装置に転送するようになっている位置データ・フィルタを含んでいる。移動装置は、位置特有データに基づいてＷＷＷサーバから位置依存ＷＷＷサービスを要求するようになっている。また、ＷＷＷサーバは、その後移動装置に再送される受信された要求に応じた位置依存ＷＷＷサイトを発生するウエブ・サイト発生器を含んでいる。
【００２８】
移動局の地理的位置に関する情報が利用できるＷＷＷサービスとデジタル・セルラー通信ネットワークとの組合せは、例えば、位置特有ウエブ・サイトが移動局の地理的位置に依存した天気予報または道路交通情報を提供する、新たなサービスの可能性を与える。
【００２９】
さらに、位置依存サービスは、他の応用には地理的位置の近似値でよいが特定の応用のために高い精度が要求される場合に、移動局の正確な地理的位置を決定する既知の方法と組み合せることもできる。
【００３０】
さらに、位置依存ＷＷＷサービスは本発明の単に一つの可能な適用に過ぎない。インターネットおよび／またはＷＷＷ以外の他の適用、例えば、移動装置上で稼働するサービスについてのモニタリング，変更，その他の運営上のマネージメントおよび管理と、ロギング，性能データ収集，エラー報告，オンライン管理，データ更新やソフトウエアのグレードアップのようなの保守上の特色とは、本発明に基づいて容易に推測される。
【００３１】
さらに、本発明によれば、移動局は、アイドル・モードでもその地理的位置を決定するための情報を提供する。既存の解決策とは異なり、本発明によれば、移動局位置情報はデジタル・セルラー通信ネットワークには提供されない。これはプライバシー上の理由で重要である。
【００３２】
最後に、本発明はハードウエアの変更を必要としない。第１の態様によれば、新たな通信は何ら導入されない。また、データ・ベアラ・サービス・ネットワークに関係する第２の態様によれば、単一の新たなシグナリング・メッセージだけがセル・ブロードキャスト・チャネルＣＢＣＨに加えられ、それ故、最小の通信オーバーヘッドだけが必要とされる。
【００３３】
全体として、本発明は、ＧＰＳの使用を旧式のものとし、また、デジタル・セルラー通信ネットワーク運営者に、例えば、ＰＳＤＮまたはＩＳＤＮ運営者が提供できないＧＳＭ特徴を開発するのを可能にする。そのため、デジタル・セルラー環境をインターネットと組み合せることによって新たな位置依存インターネット・サービスを提供することは、デジタル・セルラー通信ネットワーク運営者にとって有利なことである。
【００３４】
以下、本発明の例示的な実施例を添付図面を参照して詳細に説明する。
【００３５】
（好適実施例の説明）
図１は、ＥＴＳＩ  ＧＳＭ０３．６０仕様書に明記されたような汎用パケット無線サービスＧＰＲＳの論理アーキテクチュアの外観を与える。ここでは、汎用パケット無線サービスＧＰＲＳの履行のために、二種類のＧＰＲＳバックボーン・ネットワークが設けられている。第１はＰＬＭＮ内バックボーン・ネットワークであり、第２はＰＬＭＮ間バックボーン・ネットワークである。さらに、ＧＰＲＳ支援ノードＧＳＮは、ＧＰＲＳを支援するのに必要な機能を含んでいる。
【００３６】
一つのＰＬＭＮには、一つ以上のＧＳＮノードが存在し得る。ＧＰＲＳゲートウエイ支援ノードＧＧＳＮは、取り付けＧＰＲＳユーザ用の経路設定情報を例えばインターネット・プロトコルＩＰまたはＸ．２５内に含むパケット・データ・プロトコル・アドレスＰＤＰの評価によってパケット・データ・ネットワークがアクセスするノードである。この経路設定情報は、パケット・データ単位ＰＤＵを移動局の現在の取り付け点、すなわち、サービス側ＧＰＲＳ支援ノードにトンネルさせるのに使用される。
【００３７】
ＧＧＳＮ支援ノードは、図２に示された任意のＧｃインターフェースを介してホーム・ロケーション・レジスタＨＬＲから位置情報を要求することができる。ＧＧＳＮ支援ノードは、デジタル・セルラー通信ネットワークＧＳＭがグローバル・パケット無線サービスＧＰＲＳを支援するパケット・データ・ネットワーク相互接続の最初の点である。この目的のために、ＧｉインターフェースがＧＧＳＮ支援ノードによって支援されている。
【００３８】
ＰＬＭＮ内バックボーン・ネットワークは、同じパブリック・ランド移動ネットワークＰＬＭＮ内でＧＳＮ支援ノードを相互接続するインターネット・プロバイダＩＰネットワークである。また、ＰＬＭＮ間バックボーン・ネットワークは、異なるパブリック・ランド移動ネットワークＰＬＭＮ内でＧＳＮ支援ノードおよびＰＬＭＮ内バックボーン・ネットワークを相互接続するＩＰネットワークである。
【００３９】
各ＰＬＭＮ内バックボーン・ネットワークは、ＧＰＲＳデータおよびＧＰＲＳシグナリングのためにだけ意図されたプライベートＩＰネットワークである。プライベートＩＰネットワークは、必要な機密保護レベルを達成するために何らかのアクセス制御機構がそこに与えられるＩＰネットワークである。
【００４０】
図１に示されているように、二つのＰＬＭＮ内バックボーン・ネットワークが、境界ゲートウエイＢＧとＰＬＭＮ間バックボーン・ネットワークとを用いてＧｐインターフェースを介して接続されている。ＰＬＭＮ間バックボーン・ネットワークは、ＢＧ機密保護機能を含むローミング契約によって選択される。境界ゲートウエイＢＧは汎用パケット無線サービスＧＰＲＳの範囲内では定められない。ＰＬＭＮ間バックボーン・ネットワークは、例えば、パブリック・インターネットまたは専用回線のようなパケット・データ・ネットワークでよい。
【００４１】
図２に示されているように、サービス側ＧＰＲＳ支援ノードＳＧＳＮは、移動局ＭＳにサービスを与えているノード、すなわち、Ｇｂインターフェースを支援しているノードである。グローバル・パケット無線サービスＧＰＲＳ取付けで、サービス側ＧＰＲＳ支援ノードＳＧＳＮは、例えば移動局についての移動および機密保護に関する情報を含む移動管理コンテキストを設定する。ＰＤＰコンテキスト起動で、サービス側ＧＰＲＳ支援ノードＳＧＳＮは、ＧＰＲＳ加入者が使用するゲートウエイＧＰＲＳ支援ノードＧＧＳＮとともに、ＧＰＲＳパブリック・ランド移動ネットワークＰＬＭＮの内側で経路設定の目的で使用されるべきＰＤＰコンテキストを設定する。
【００４２】
サービス側ＧＰＲＳ支援ノードＳＧＳＮおよびゲートウエイＧＰＲＳ支援ノード機能は同じ物理ノード内で組み合せてもよいし、それらは異なる物理ノードに存在していてもよい。サービス側ＧＰＲＳ支援ノードおよびゲートウエイＧＰＲＳ支援ノードはＩＰ経路設定情報を含むことができ、また、それらのノードはＩＰルータと相互に接続することができる。サービス側ＳＧＳＮおよびゲートウエイＧＧＳＮ支援ノードが異なるパブリック・ランド移動ネットワークＰＬＭＮ内にある場合、それらのノードはＧｐインターフェースを介して相互接続される。Ｇｐインターフェースは、Ｇｎインターフェース機能に加えてＰＬＭＮ間通信に必要な機密保護機能を提供する。この機密保護機能は運営者間の相互契約に基づいている。
【００４３】
サービス側ＧＰＲＳ支援ノードＳＧＳＮは、移動サービス交換局ＭＳＣおよびビジター・ロケーション・レジスタＶＬＲからＧｓインターフェースを介してページング要求を受信することができる。さらに、ホーム・ロケーション・レジスタＨＬＲは、グローバル・パケット無線サービスＧＰＲＳ加入データおよび経路設定情報を含む。ホーム・ロケーション・レジスタＨＬＲは、サーバＧＰＲＳ支援ノードＳＧＳＮからＧｒインターフェースを介してアクセス可能である。移動中の移動局ＭＳに対しては、ホーム・ロケーション・レジスタＨＬＲは、現在のサービス側ＧＰＲＳ支援ノードＳＧＳＮのように異なるパブリック・ランド移動ネットワークＰＬＭＮ内に存在するかも知れない。ＳＭＳ−ＧＭＳＣおよびＳＭＳ−ＩＷＭＳＣがＧｄインターフェースを介してサーバＧＰＲＳ支援ノードＳＧＳＮに接続されて、グローバル・パケット無線サービスＧＰＲＳを用いた移動局ＭＳがＧＰＲＳ無線チャネルを介して短いメッセージを送受信するのを可能にする。
【００４４】
図１および図２によるグローバル・パケット無線サービスＧＰＲＳ論理アーキテクチャは、以下に略述する位置依存ＷＷＷサービスを提供するのに用いることができる。
【００４５】
図３に示されているように、デジタル・セルラー通信ネットワークＧＳＭのサービス区域を有するエリア内では、移動局ＭＳは、少なくとも一つの基地局サブシステムＢＳＳからセル・ブロードキャスト・チャネルＣＢＣＨ，ブロードキャスト制御チャネルＢＣＣＨまたは基地局識別符号ＢＳＩＣの位置特有情報を受信する。それ故、移動局ＭＳは、ＧＳＭサービス・エリア内でのそれ自身の現在位置についての正確な情報を常に有する。
【００４６】
さらに、移動局ＭＳは、通常、移動局が移動中の基地局サブシステムＢＳＳ  １からばかりでなく近接の基地局サブシステムＢＳＳ  ２〜ＢＳＳ  ５からも位置特有情報を受信する。
【００４７】
位置特有情報は移動装置ＭＤと交換され、移動装置ＭＤは、この情報を用いて、移動局ＭＳの地理的位置を推定するか、必要な地理的位置を推定できるＷＷＷサーバに位置特有情報をＳＧＳＮ支援ノード，ＰＬＭＮ内バックボーンおよびゲートウエイＧＰＲＳ支援ノードＧＧＳＮを介して転送する。
【００４８】
ＷＷＷサーバは、例えば、インターネットまたはＬＡＮネットワークのようなパケット・データ・ネットワーク内に設置されている。しかしながら、ＷＷＷサーバの数は一つに限定されず、幾つかのＷＷＷサーバが位置依存ＷＷＷサービスの提供に寄与してもよい。これらのＷＷＷサーバは、一つのＬＡＮ内に配置できるし、異なる位置に存在してもよい。
【００４９】
図３に示されているように、移動局ＭＳは、セル１内を移動しており、基地局サブシステムＢＳＳ１からブロードキャスト情報を直接受信する。移動局ＭＳはまた、近隣のセル２〜５から関連の基地局サブシステムＢＳＳ２〜ＢＳＳ５を介して対応ブロードキャスト情報を受信する。移動局ＭＳとラップトップのような移動装置ＭＤとの間のリンクＲは、移動装置インターフェース、例えば、そのような目的のために設計されたＰＣＭＣＩＡデータ・カード２を介して達成される。そのようなＰＣＭＣＩＡデータ・カードの具体的な例は、ＤＣ１２，ＤＣ２３，ＤＣ３３である。
【００５０】
図４に示されているように、移動局ＭＳは、移動局ＭＳに近接した複数の基地局サブシステムＢＳＳ１，．．．，ＢＳＳ５を介して送信されたブロードキャスト情報を受信する受信器４を含む。さらに、受信されたブロードキャスト情報から移動局ＭＳの位置に特有のデータを選択するようになっている位置データ・フィルタ６が設けられている。移動装置インターフェース８は、移動局ＭＳとともに移動する移動装置ＭＤとの接続を確立する。移動装置インターフェース８は、移動装置ＭＤから位置特有データを求める要求を受信するとともに移動装置ＭＤに位置特有データを転送するように働く。
【００５１】
一実施例によれば、位置データ・フィルタ６は、ブロードキャスト制御チャネルＢＣＣＨを介して転送されるとともに近隣のセルに対しても受信されるセル識別を選択するようになっている。それ故、位置特有データは移動局内で選択されるだけであり、このデータについての更なる処理は何ら生じない。別のオプションは、同期制御チャネルＳＣＨを介して受信される基地局識別符号ＢＳＩＣを選択することである。
【００５２】
他の実施例によれば、移動局ＭＳは計算ユニット１０を含む。この場合、位置データ・フィルタ６は、各近接セルについての経度ｌｏｉおよび緯度ｌａｉを識別する。その後、計算ユニット１０は、与えられた経度ｌｏｉおよび緯度ｌａｉを考慮して移動局の地理的位置を推定することができる。経度は、移動局ＭＳが最東および最西にあるセルまで同じ距離を有する位置として推定される。したがって、移動局の緯度ｌａｉは、最北のセルおよび最南のセルまで同じ距離を有する位置として推定される。
【００５３】
そのような推定プロセスの一例が図３に示されている。セル１〜５の緯度がそれぞれ１．５，２．５，１，２，３であり、かつ、その対応する経度がそれぞれ２，２，１，１，１であると仮定すると、移動局についての推定経度および推定緯度はそれぞれ２および１．４である。移動局ＭＳが移動中のセル１の緯度１．５および経度２とは反対に、推定された緯度ｌａｅおよび経度ｌｏｅはそれぞれ左方および上方にわずかに移っている。それは、移動局ＭＳがこれらの方向にあるセルからも位置情報を受信するからである。
【００５４】
勿論、任意の一般化されたアプローチを用いて、デジタル・セルラー通信ネットワークを通して得られる位置情報から移動局ＭＳについての推定の地理的位置を導き出すことができる。他の一つの例として、異なる重み係数を異なる緯度および経度にそれぞれ割り当ててもよい。
【００５５】
デジタル・セルラー通信ネットワークにおける位置依存ＷＷＷサービスの全体的な設備が、図５および図７に示されている。
【００５６】
サービス側およびゲートウエイＧＰＲＳ支援ノードＳＧＳＮ，ＧＧＳＮは、移動局ＭＳで受信されたセル識別子ＩＤ１，ＩＤ２，．．．，ＩＤ５または基地局識別符号ＢＳＣＩ１，．．．，ＢＳＣＩ５を基地局サブシステＢＳＳ１，．．．，ＢＳＳ５を介してパケット・データ・ネットワーク内に設置されたＷＷＷサーバに転送する。
【００５７】
図５に示されているように、移動局ＭＳで受信され選択されたセル識別子または基地局識別符号ＢＳＣＩ１，．．．，ＢＳＣＩ５は、移動装置からの要求時に移動装置に位置データとして転送される。移動装置ＭＤ上で稼働するＷＷＷアプリケーションは、すべてのセル識別子または基地局識別符号ＢＳＣＩ１，．．．，ＢＳＣＩ５をハイパーテキスト転送プロトコルＨＴＴＰで記述された適当な要求中に含める。
【００５８】
その後、このＨＴＴＰ要求は、デジタル・セルラー通信ネットワークでデータ交換することなく、対応サービス側ＧＰＲＳ支援ノードＳＧＳＮおよびゲートウエイＧＰＲＳ支援ノードＧＧＳＮを介して、例えばインターネットまたはＸ．２５のようなパケット・データ・ネットワーク内のＷＷＷサーバに転送される。移動局位置情報はデジタル・セルラー通信ネットワークには何ら提供されないので、このことは位置依存ＷＷＷサービスに関してプライバシーについての大いなる向上を与える。これに代わるアプローチによれば、地理的情報を求めるこの要求および位置依存ＷＷＷサービスの初期設定は、ＷＷＷアプリケーションが移動局ＭＳに備えられている場合、移動局ＭＳ自身によって実行してもよい。
【００５９】
ＷＷＷサーバの構造が図６に示されている。ＷＷＷサーバは、移動装置ＭＤからのＨＴＴＰ要求の受信時に移動装置ＭＤに再送信されるべきウエブ・サイトを発生するウエブ・サイト発生器１４を含んでいる。さらに、そのようなウエブ・サイトを構成していて要請時に使用される素子を記憶する記憶ユニット１６が設けられている。移動局ＭＳおよび移動装置ＭＤに近接するセルのセル識別子を変換するために、セル識別子または基地局識別符号ＢＳＣＩを各基地局サブシステムＢＳＳ１，．．．，ＢＳＳ５の幾何学的位置に変換して、移動局ＭＳおよび移動装置ＭＤの幾何学的位置を推定するためのマッピング・テーブル１８も設けられている。
【００６０】
そのため、図５に示された実施例によれば、位置依存ＷＷＷサービスを提供するのに必要な幾何学的位置の実際の推定は、ＷＷＷサーバ内で実行される。幾何学的位置の推定の後、位置感知ウエブ・サイト、例えば、天気予報情報や位置マップ情報が移動装置ＭＤに再転送され得る。ここで、幾何学的位置の精度は、最悪で＋／−３０ｋｍである。特定エリア内でのセル寸法が小さくなる程、この最悪の場合の精度は良くなる。
【００６１】
マッピング・テーブル１８は、セル識別子または基地局識別符号ＢＳＣＩと各セルおよび基地局サブシステムの緯度および経度の換算での正確な地理的位置との間の対応関係を有している。そのため、一度セル識別子または基地局識別符号ＢＳＣＩがＷＷＷサーバ内で得られると、移動局ＭＳの幾何学的位置が上で略述されたように計算される。
【００６２】
図７は、移動局ＭＳが計算ユニット１０も備えている場合の位置依存ＷＷＷサービスの提供を示す。ここでは、各セルの緯度ｌａｉおよび経度ｌｏｉが、基地局サブシステムＢＳＳ１〜ＢＳＳ５を介しセル・ブロードキャスト・チャネルＣＢＣＨを通して移動局ＭＳに転送される。移動装置ＭＤの要求時に、地理的位置の推定が移動局ＭＳで行われる。そのため、一つの推定緯度ｌａｅと一つの推定経度ｌｏｅだけが位置データとして移動装置ＭＤに転送される。
【００６３】
この実施例では、各セルの緯度ｌａｉおよび経度ｌｏｉがネットワークおよび交換サブシステムＮＳＳに記憶されていること、および、この情報がセル・ブロードキャスト・チャネルＣＢＣＨに挿入されることが必要で、それ故、この実施例はより複雑である。移動局ＭＳの地理的位置の推定が上で略述されたアルゴリズムに従って移動局ＭＳ自身で行われる場合、移動装置ＭＤ上で稼働するＷＷＷアプリケーションは、移動装置インターフェース８を介して推定緯度ｌａｅおよび推定経度ｌｏｅを直接要求することができ、受信側のＷＷＷサーバに如何なる特別な要請（すなわち、マッピング・テーブル１８）も課することがない。そのため、要求元のＷＷＷアプリケーションの緯度および経度に基づく位置感知ウエブ・サイトを提供する任意のＷＷＷサーバが使用できる。
【００６４】
この代替例の主な利点は、移動局ＭＳがその地理的位置を決定するためにデジタル・セルラー通信ネットワークに何らのデータも報告して返す必要がないことである。この点は、プライバシーに関することが大切な場合、非常に重要である。今までは、このことは既知の解決策では考慮されていないし支援されてもいない。
【００６５】
ＷＷＷアプリケーション要求が時間順次に互いに独立に処理されるときは、ＷＷＷモデルは満足に働く。一方、複雑なサービスは、多数のＷＷＷアプリケーションにわたってＷＷＷサーバで状態および制御フロー情報の維持を要求するかも知れず、このことは独立性の仮定を侵す。
【００６６】
複雑なウエブ・サービスは、長い期間にわたって起こる多数の引き続くマルチプルでシーケンシャルな関連した相互作用を要求する。そのようなＷＷＷアプリケーションの一部として、ユーザは一つのセッションを一時停止してそれを後で再開することを望むかも知れないし、ＷＷＷサーバがそのセッションの制御を他のＷＷＷアプリケーションに移すかも知れない。本発明によれば、セッションの進行についての情報はすべてＷＷＷサーバ上に維持され、それにより、拡張されたＷＷＷアプリケーションを支援する回復機構を与えることができる。
【００６７】
本発明によれば、そのような複雑なウエブ・サービスの取扱いは、セッション・ハンドラ２０を通して行われる。セッション・ハンドラ２０には、複数の位置依存ＷＷＷサービスに関連した一連の相互作用が、状態フロー・グラフを有する単一セッションとして表現されている。
【００６８】
一つのセッションがウエブ・サイト発生器１４を介して文書を送出すると、実行は一時停止され、状態がディスクまたはデータベースに記憶される。応答が自身されると、状態が自動的に復元されて、実行が一時停止点から再開される。このセッションは、他の位置依存ウエブ・サイトをユーザに送る他のＷＷＷサービスが呼び出されるまで続く。
【００６９】
マルチプルＷＷＷサービスの場合、ウエブ・サイトはそれらの内容が各ＨＴＴＰ要求に従って動的にカスタマイズされるように書かれ、それにより、ウエブ・サイト発生器１４から、異なるウエブ・サイトが、呼び出し元の移動装置ＭＤおよび移動局ＭＳの地理的位置に依存してそれぞれ送出される。
【００７０】
サービス論理をウエブ・サイト発生器１４から分離することは、ＷＷＷサーバの効果的な履行を許す。特に、一つ以上のＷＷＷアプリケーションに関連したすべての相互作用の制御および情報フローは、中心位置、すなわち、セッション・ハンドラ２０で取り扱われる。このことは、サービスの挙動および利用パターンの動的な追跡および可視化を可能にする。
【００７１】
全体として、位置依存サービスの提供のシナリオは、例えば、パブリック・ランド移動ネットワークＰＬＭＮ  Ａでそのホーム・ロケーション・レジスタＨＬＲを有する加入者が図１に示されたような他のパブリック・ランド移動ネットワークＰＬＭＮ  Ｂに移動するというものである。ここで、加入者は、車で移動しているとき、例えば交通渋滞に関する情報を必要とする。また、加入者がパブリック・ランド移動ネットワークＰＬＭＮ  Ｂ内の最終目的地に到着すると、彼は文化的なイベントに関する実際の情報を必要とするかも知れない。
【００７２】
図１に示されているように、加入者はまず、サービス側ＧＰＲＳ支援ノードＳＧＳＮの一つを介してＰＬＭＮ内バックボーンに接続される。上で略述されたように、このＰＬＭＮ内バックボーンは、その中に設置されたＷＷＷサーバの一つへのリンクが得られるように、ゲートウエイＧＰＲＳ支援ノードを介してパケット・データ・ネットワークにリンクされる。このリンクを使用して、例えば、加入者が最終目的地の向かって走行しているとき遅れを避けるために加入者が必要とする道路情報または交通渋滞情報が提供される。
【００７３】
加入者は、最終的に、パブリック・ランド移動ネットワークＰＬＭＮ  Ａからパブリック・ランド移動ネットワークＰＬＭＮ  Ｂに横断走行する。この地点で、デジタル・セルラー通信ネットワークにおける標準的なハンドオーバーと図５および図７に関連して略述した位置依存ＷＷＷサービスに関した位置データの交換との両方に鑑みて、ハンドオーバーが生じる。パブリック・ランド移動ネットワークＰＬＭＮ  Ａ，Ｂのビジター・ロケーション・レジスタＶＬＲ内のエントリが適合され、また、加入者はパブリック・ランド移動ネットワークＢ内でも加入者にデータが提供されるようにパブリック・ランド移動ネットワークＢ内の移動サービス交換局ＭＳＣに割り当てられる。
【００７４】
さらに、ＷＷＷサービスに関して、サービス・ハンドオーバーは、ＰＬＭＮ間バックボーンおよびＰＬＭＮ内バックボーンにそれぞれリンクされた境界ゲートウエイＢＧを介して実行される。一度このサービス・ハンドオーバーが実行されると、加入者は、パブリック・ランド移動ネットワークＢ内のサービス側ＧＰＲＳ支援ノードおよびゲートウエイＧＰＲＳ支援ノードを介してパケット・データ・ネットワークにリンクされる。それ故、今や、道路情報または交通渋滞情報がこの修正されたリンクを介して提供できるようになる。さらに、ひとたび加入者が最終目的地に到達すれば、彼は、任意のさらに有用な位置依存情報、例えば社会的または文化的なイベントに関する情報を要求することもできる。
【００７５】
略語：
ＢＣＣＨ    Ｂｒｏａｄｃａｓｔ  Ｃｏｎｔｒｏｌ  Ｃｈａｎｎｅｌ
ＢＴＳ      Ｂａｓｅ  Ｔｒａｎｓｃｅｉｖｅｒ  Ｓｔａｔｉｏｎ
ＣＢＣＨ    Ｃｅｌｌ  Ｂｒｏａｄｃａｓｔ  Ｃｈａｎｎｅｌ
ＤＡＮ      Ｄｉｒｅｃｔ−ＩＰ−Ａｃｃｅｓｓ  Ｎｏｄｅ
ＧＰＲＳ    Ｇｌｏｂａｌ  Ｐａｃｋｅｔ  Ｒａｄｉｏ  Ｓｅｒｖｉｃｅ
ＧＰＳ      Ｇｌｏｂａｌ  Ｐｏｓｉｔｉｏｎｉｎｇ  Ｓｙｓｔｅｍ
ＧＳＮ      ＧＰＲＳ  Ｓｕｐｐｏｒｔ  Ｎｏｄｅ
ＨＴＭＬ    ＨｙｐｅｒＴｅｘｔ  Ｍａｒｋｕｐ  Ｌａｎｇｕａｇｅ
ＨＴＴＰ    ＨｙｐｅｒＴｅｘｔ  Ｔｒａｎｓｍｉｓｓｉｏｎ  Ｐｒｏｔｏｃｏｌ
ＩＰ        Ｉｎｔｅｒｎｅｔ  Ｐｒｏｔｏｃｏｌ
ＩＳＰ      Ｉｎｔｅｒｎｅｔ  Ｓｅｒｖｉｃｅ  Ｐｒｏｖｉｄｅｒ
ＭＳ        Ｍｏｂｉｌｅ  Ｓｔａｔｉｏｎ
ＰＣＭＣＩＡ    Ｈａｒｄｗａｒｅ／ｓｏｆｔｗａｒｅ  ｉｎｔｅｒｆａｃｅ  ｄｅｆｉｎｉｔｉｏｎ  ｆｏｒ  ｐｏｒｔａｂｌｅ  ｃｏｍｐｕｔｅｒｓ
ＬＡＮ      Ｌｏｃａｌ  Ａｒｅａ  Ｎｅｔｗｏｒｋ
ＴＣＨ      Ｔｒａｆｆｉｃ  Ｃｈａｎｎｅｌ
ＷＷＷ      Ｗｏｒｌｄ  Ｗｉｄｅ  Ｗｅｂ
【図面の簡単な説明】
【図１】
ＷＷＷサービスのデジタル・セルラー通信ネットワークへの統合のための基礎としてのＰＬＭＮ内およびＰＬＭＮ間バックボーン・ネットワークを示す図である。
【図２】
グローバル・パケット無線サービスＧＰＲＳアーキテクチュアの外観を示す図である。
【図３】
本発明による移動局の地理的位置の推定を示す概略線図である。
【図４】
本発明による移動局の概略線図である。
【図５】
本発明によるＧＰＲＳシステムでの地理的位置情報の伝送を示す図である。
【図６】
本発明によるＷＷＷサーバの概略線図である。
【図７】
本発明によるＧＰＲＳシステムでの地理的位置情報の修正された伝送を示す図である。
【図８】
ＧＳＭ標準に従うデジタル・セルラー通信ネットワークの下の基本構造を示す図である。
【図９】
ＧＳＭ標準に従うデジタル・セルラー通信ネットワークのためのトランザクション・チャネル階層を示す図である。